(57)【要約】【課題】太陽光発電機能を有する建造物の内部で農産又は畜産を行う共営型発電施設において、建造物の屋根下方の共有面の日照部が偏らず平均的になるようにし、これにより共有面の全域における日照環境を良好にして共有面を無駄なく利用することにより、生産性を高めることができる共営型発電施設を提供する。【解決手段】共営型発電施設(A1)は、複数のパネル取付部(11)を有し、パネル取付部(11)には太陽電池パネルが(12a)取り付けられ、太陽電池パネルの間に太陽電池パネルが配置されている区域に平均的に配置された透光隙間(110)が形成されている屋根部(10)と、屋根部を支える支脚(13)とを備える建造物(1)と、建造物を設置し、屋根部の下方に酪農を行う共有面である牧草地(3)を備えている。【選択図】図１
2015113678.tif 000002
【特許請求の範囲】
【請求項１】
複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、
該屋根部が配される共有面と前記屋根部との間に農産又は畜産を行う空間を形成するための支持部とを備える
建造物。
【請求項２】
前記太陽電池パネルに、前記太陽電池パネルが有する透光部の占める割合の違いで透光率が異なる複数種類があらかじめ設定されており、それら複数種類の群から選ばれた一種類又は複数種類の太陽電池パネルを前記パネル取付部に取り付けることができる
請求項１の建造物。
【請求項３】
複数種類の太陽電池パネルの群が、全面が遮光型発電部であるタイプ又は全面が透光型発電部であるタイプを含む
請求項２の建造物。
【請求項４】
外部からの動物の侵入を防ぐと共に、内部の家畜の抜け出しを防ぐ隔離手段を有する
請求項１、２又は３の建造物。
【請求項５】
複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、
該建造物を設置し、前記屋根部の下方に農産を行う農産領域を有している共有面とを備える
共営型発電施設。
【請求項６】
複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、
該建造物を設置し、前記屋根部の下方に畜産を行う畜産領域を有している共有面とを備える
共営型発電施設。
【請求項７】
前記太陽電池パネルに、前記太陽電池パネルが有する透光部の占める割合の違いで透光率が異なる複数種類があらかじめ設定されており、それら複数種類の群から選ばれた一種類又は複数種類の太陽電池パネルを前記パネル取付部に取り付けることができる
請求項５又は６の共営型発電施設。
【請求項８】
複数種類の太陽電池パネルの群が、全面が遮光型発電部であるタイプ又は全面が透光型発電部であるタイプを含む
請求項７の共営型発電施設。
【請求項９】
外部からの動物の侵入を防ぐと共に、内部の家畜の脱出を防ぐ隔離手段を有する
請求項５、６、７又は８の共営型発電施設。
【請求項１０】
複数の太陽電池パネルを有し、該複数の太陽電池パネルの間に、前記太陽電池パネルが配置されている区域に平均的に配置された透光隙間が形成されている屋根部と、
該屋根部と共有面の間に農産又は畜産を行うための空間を形成する支持部とを備える
建造物。
【請求項１１】
複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、
該建造物を設置し、前記屋根部の下方に農産を行う農産領域又は畜産を行う畜産領域の何れか一方又は双方を有している共有面とを備える
共営型発電施設。
【発明の詳細な説明】
【技術分野】
【０００１】
本発明は、建造物及び共営型発電施設に関するものである。更に詳しくは、太陽光発電機能を有する建造物の内部で農産又は畜産を行う共営型発電施設において、建造物の屋根下方の共有面の日照部が偏らず平均的になるようにし、これにより共有面の全域における日照環境を良好にして共有面を無駄なく利用することにより、生産性を高めることができる建造物及び共営型発電施設に関する。
【背景技術】
【０００２】
近年、代表的な再生可能エネルギーである太陽光で発電する太陽電池パネル（ソーラーパネル又は太陽電池モジュールともいう）の光電変換効率や耐久性等の性能は向上しており、地球環境の保全のために、これを使用した太陽光発電によって、将来的に必要な電力の多くを賄おうとする機運が高まっている。農業と太陽光発電事業を同じ土地で同時に行う、いわゆる営農型発電設備もその流れの中にあり、このような営農型発電設備に類するものとしては、本願発明者が提案した特許文献１に記載の「建造物」がある。
【０００３】
上記公報記載の建造物は、家畜を飼育するための建造物であって、内部に植物を育成する植物育成領域が存在し、屋根は、太陽光が内部に透過する透過部と透過しない不透過部があり、外壁及び前記透過部は、前記家畜が通過できないものであり、前記不透過部には、太陽光を電力に変換する光電変換手段が存在し、前記透過部を透過した太陽光は、前記植物育成領域に射す、というものである。
【先行技術文献】
【特許文献】
【０００４】
【特許文献１】特開２０１３−０４６６０７号公報
【発明の概要】
【発明が解決しようとする課題】
【０００５】
上記公報記載の建造物は、同じ土地で太陽光発電事業と農産及び畜産を共営する上で充分に有用であるが、次の点で改良の余地があった。すなわち、建造物（実施例参照）は、光電変換手段が存在する不透過部の間に、日光が透過する透過部が一部に集中して存在している構造であるため、各領域において日照部（日向部）と日陰部がはっきり分かれている。また、その広さも位置も施工後は原則変えることができないか、または変えることができても多大な手間がかかる。
このため、農産と畜産を建造物の内部で一緒に行う際に、日照部が偏って存在すること、及び日照部の位置が太陽の動きによって変化することがネックとなり、各領域を無駄なく効果的に農産と畜産に配分することは難しく、生産性を高めることも難しかった。
【０００６】
本発明は、以上の点に鑑みて創案されたものであり、太陽光発電機能を有する建造物の内部で農産又は畜産を行う共営型発電施設において、建造物の屋根下方の共有面の日照部が偏らず平均的になるようにし、これにより共有面の全域における日照環境を良好にして共有面を無駄なく利用することにより、生産性を高めることができる建造物及び共営型発電施設を提供することを目的とする。
【課題を解決するための手段】
【０００７】
（１）本発明は、複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部が配される共有面と前記屋根部との間に農産又は畜産を行う空間を形成するための支持部とを備える建造物である。
【０００８】
（２）本発明の建造物は、前記太陽電池パネルに、前記太陽電池パネルが有する透光部の占める割合の違いで透光率が異なる複数種類があらかじめ設定されており、それら複数種類の群から選ばれた一種類又は複数種類の太陽電池パネルを前記パネル取付部に取り付けることができる構成としてもよい。
【０００９】
この場合は、太陽電池パネル自体の透光率を様々に設定したものを用意しておき、適宜選択することにより、透光隙間と関連して、透光率の細かな設定が可能になる。また、屋根部の区域によって透光率を変えることもできる。これにより、施工の際、農産で育成する野菜等の植物又は畜産で扱う家畜に対し好適な採光ができるように透光率を適宜設定することが可能になる。
なお、この透光率と発電量は、一方が増えれば他方が減る相関関係にあるので、施工に当たっては、ケースに応じて双方が最も好適な関係となるよう透光率を設定する。
【００１０】
（３）本発明の建造物は、複数種類の太陽電池パネルの群が、全面が遮光型発電部であるタイプ又は全面が透光型発電部であるタイプを含む構成としてもよい。
【００１１】
この場合は、太陽電池パネルが、その全面が遮光型発電部であるタイプの場合は、屋根部の透光隙間のみが透光部となり、屋根部全体として最も小さい透光率となる。また、太陽電池パネルが、その全面が透光型発電部であるタイプの場合は、屋根部の透光隙間と透光型発電部が透光部となり、屋根部全体として最も大きい透光率となる。
【００１２】
（４）本発明の建造物は、外部からの動物の侵入を防ぐと共に、内部の家畜の抜け出しを防ぐ隔離手段を有する構成としてもよい。
【００１３】
この場合は、隔離手段によって、獣や鳥が媒介する各種病気が、建造物内の家畜に伝染することを防止できる。また、建造物内の家畜が逃げ出し、事故に遭う等して怪我をしたり、周辺地域に迷惑をかけることや危険を及ぼすことを防止できる。
【００１４】
（５）本発明は、複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、該建造物を設置し、前記屋根部の下方に農産を行う農産領域を有している共有面とを備える共営型発電施設である。
【００１５】
この場合は、建造物の屋根部で行う太陽光発電事業と、野菜や果物を生産する農産とを、共有面（同じ土地又は場所）を利用して同時に、又は並行して行う共営型の太陽光発電事業が可能になる。
【００１６】
（６）本発明は、複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、該建造物を設置し、前記屋根部の下方に畜産を行う畜産領域を有している共有面とを備える共営型発電施設である。
【００１７】
この場合は、建造物の屋根部で行う太陽光発電事業と、牛や豚、或いは家禽を生産する畜産（牛では搾乳、家禽では採卵を含む）とを、共有面を利用して同時に、又は並行して行う共営型の太陽光発電事業が可能になる。
【００１８】
（７）本発明の共営型発電施設は、前記太陽電池パネルに、前記太陽電池パネルが有する透光部の占める割合の違いで透光率が異なる複数種類があらかじめ設定されており、それら複数種類の群から選ばれた一種類又は複数種類の太陽電池パネルを前記パネル取付部に取り付けることができる構成としてもよい。
【００１９】
この場合は、上記建造物の場合と同様に、太陽電池パネル自体の透光率を様々に設定したものを用意しておき、適宜選択することにより、透光隙間と関連して、透光率の細かな設定が可能になる。また、屋根部の区域によって透光率を変えることもできる。なお、この透光率と発電量は、一方が増えれば他方が減る相関関係にあるので、施工に当たっては、ケースに応じて双方が最も好適な関係となるよう透光率を設定する。
【００２０】
（８）本発明の共営型発電施設は、複数種類の太陽電池パネルの群が、全面が遮光型発電部であるタイプ又は全面が透光型発電部であるタイプを含む構成としてもよい。
【００２１】
この場合は、上記建造物の場合と同様に、太陽電池パネルが、その全面が遮光型発電部であるタイプの場合は、屋根部の透光隙間のみが透光部となり、屋根部全体として最も小さい透光率となる。また、太陽電池パネルが、その全面が透光型発電部であるタイプの場合は、屋根部の透光隙間と透光型発電部が透光部となり、屋根部全体として最も大きい透光率となる。
【００２２】
（９）本発明の共営型発電施設は、外部からの動物の侵入を防ぐと共に、内部の家畜の脱出を防ぐ隔離手段を有する構成としてもよい。
【００２３】
この場合は、上記建造物の場合と同様に、隔離手段によって、獣や鳥が媒介する各種病気が、施設内の家畜に伝染することを防止できる。また、施設内の家畜が逃げ出し、事故に遭う等して怪我をしたり、周辺地域に迷惑をかけることや危険を及ぼすことを防止できる。
【００２４】
（１０）本発明は、複数の太陽電池パネルを有し、該複数の太陽電池パネルの間に、前記太陽電池パネルが配置されている区域に平均的に配置された透光隙間が形成されている屋根部と、該屋根部と共有面の間に農産又は畜産を行うための空間を形成する支持部とを備える建造物である。
【００２５】
（１１）本発明は、複数のパネル取付部を有し、該複数のパネル取付部には太陽電池パネルが取り付けられ、該太陽電池パネルの間に、前記太陽電池パネルが配置されている区域に平均的に配置された透光隙間が形成されている屋根部と、該屋根部を支える支持部とを備える建造物と、該建造物を設置し、前記屋根部の下方に農産を行う農産領域又は畜産を行う畜産領域の何れか一方又は双方を有している共有面とを備える共営型発電施設である。
【００２６】
本明細書及び特許請求の範囲にいう「共有面」とは、例えば牧草地や圃場等、農産又は畜産を行うための土地及び太陽電池パネル等の発電設備を設置するための土地、すなわち農産又は畜産と発電設備とがそれぞれの目的のために共有する土地等の面をいう。また、共有面は、表面がいわゆる土の面である土壌の他、例えば家畜を肥育又は飼育するためのコンクリート床等の各種人工の面の意味を含むものである。
【００２７】
本明細書及び特許請求の範囲にいう「隔離手段」は、外部からの動物（害獣又は害鳥等）の侵入を防ぐと共に、内部の家畜の抜け出し（脱走）を防ぐことができれば、その素材や形態又は構造は特に限定するものではない。例えば屋根部の透光隙間又は透光口等に設けられるものとしては、透光性を有する部材やネット（網）等が好適に使用できる。なお、透光性を有する部材としては、例えばプラスチック製の透明板の他、透過する光を散らして平均的で軟らかな光にする磨硝子のような各種散光板が使用できる。
また、例えば建造物の側部（支持部材間等）に設けられるものとしては、壁や柵、或いはこれらと上記透光性を有する部材やネットと組み合わせたもの等が好適に使用できる。
【００２８】
本明細書及び特許請求の範囲にいう「農産」とは、例えば各種穀物、各種野菜、各種果物、或いは茶等を生産して、生活に寄与する産業をいう。また、「畜産」とは、牛、豚、家禽を肥育して食肉を生産し、或いは牛や家禽を飼育して乳や卵を生産することにより、生活に寄与する産業をいう。
【００２９】
（作用）
本発明の建造物及びそれを使用した共営型発電施設の作用を説明する。
建造物の屋根部の太陽電池パネルの間に設けられている透光隙間は、屋根部において太陽電池パネルが配置されている区域に平均的に配置されることになり、仮に全面が遮光型発電部である太陽電池パネルだけを配置しても、屋根部全体の透光率は、少なくとも透光隙間が屋根全体に占める所定の割合で確保される。
【００３０】
したがって、各透光隙間を通る日光による日照部は、屋根部の下方の共有面の全域にわたり平均的に存在し、日照部の偏りが解消できる。また、屋根部の下側の側方（支持部の間）等からの日光の侵入、侵入した日光の屋根部下方（内部）における反射（又は乱反射）、或いは太陽の移動等とも相まって、日照部と日陰部の日照量に極端な差がない良好な日照環境をつくることができる。これにより、屋根部下方の共有面のどの領域でも、ほぼ同様の日照環境での生産が可能になり、管理がしやすく、農産又は畜産の生産性を高めることが可能になる。
なお、建造物の場合は、移設ができるように分解組立可能な構造としたり、或いは共有面に対する設置構造を簡易的にすることで、例えば建造物のリース事業等の展開にも対応できる。
【発明の効果】
【００３１】
本発明は、太陽光発電機能を有する建造物の内部で農産又は畜産を行う共営型発電施設において、建造物の屋根下方の共有面の日照部が偏らないように平均的にすることができるので、これにより共有面の全域における日照環境が良好になり、共有面を無駄なく利用することで生産性を高めることができる建造物及び共営型発電施設を提供することができる。
【図面の簡単な説明】
【００３２】
【図１】本発明に係る建造物を牧草地に設置して形成した共営型発電施設の第１実施の形態を示す斜視説明図である。
【図２】図１に示す共営型発電施設の屋根部の要部拡大説明図である。
【図３】屋根のパネル取付部に取り付けられ、設定されている太陽電池パネルの種類を示す説明図である。
【図４】本発明に係る共営型発電施設の第２実施の形態を示す斜視説明図である。
【図５】本発明に係る共営型発電施設の第３実施の形態を示す斜視説明図である。
【発明を実施するための形態】
【００３３】
本発明を図面に示した実施の形態に基づき詳細に説明する。
図１ないし図３を参照する。
共営型発電施設Ａ１は、牛舎２が建てられた共有面である牧草地３に建造物１を建て、牛舎２及び建造物１を囲むように、閉じた柵４を設けた構成である。共営型発電施設Ａ１は、畜産領域である牧草地３において、畜産である酪農と、建造物１による太陽光発電事業を同時に、又は並行して行うものである。
【００３４】
建造物１は、全体の外形が正方形状に形成されている屋根部１０を有している。屋根部１０は、軽量鉄骨等で枠組みされた屋根フレーム１００を有している。屋根フレーム１００は、外形が屋根部１０の外形と共通で正方形状であり、縦横に整列して形成された多数の正方形の枠状のパネル取付部１１を有している。
【００３５】
各パネル取付部１１の周り、すなわち各辺部の間及び外周辺部には、透光隙間１１０が形成されている（図２参照）。各パネル取付部１１には、太陽電池パネル１２ａが取り付けられており、その取り付け状態においても透光隙間１１０は塞がれることなくそのまま維持されている。なお、特に冬期における発電効率を上げるため、太陽光をより高密度で集光できるように、太陽電池パネル１２ａの角度を南側へ向けやや下り傾斜するように調節する機能を持たせることもできるし、更には同様の目的で、屋根部１０の全体を南側へ向けやや下り傾斜するように形成することもできる。
【００３６】
また、パネル取付部１１に対する太陽電池パネル１２ａの取り付けには、公知の手段を採用しているので、取付構造についての詳しい説明は省略する。なお、太陽電池パネル１２ａの制御等を行う付帯機器については、図示及び説明を省略している（後述する図４、図５も同様）。
【００３７】
ここで、図３を参照し、本実施の形態において設定されている太陽電池パネルの種類について説明する。図３では形態及び透光率が異なる四種類を示しているが、これに限定するものではなく、二種類、三種類、又は五種類以上を設定することもできる。
【００３８】
図３（ａ）に示す太陽電池パネル１２ａは、上記共営型発電施設Ａ１に採用されているもので、全面が光を通さない遮光型発電部１２０で構成されたタイプである。なお、太陽電池パネル１２ａは長方形状であり、各パネル取付部１１には、それぞれ二枚が取り付けられる（図２参照：後述の太陽電池パネル１２ｂ、１２ｃ、１２ｄも同様）。
また、図３（ｂ）に示す太陽電池パネル１２ｂは、遮光型発電部１２１に短辺方向の二本のスリット状の透光部１２２を所要間隔で平行に形成したタイプであり、後述する共営型発電施設Ａ３に採用されている。
【００３９】
図３（ｃ）に示す太陽電池パネル１２ｃは、長方形状の外枠の内側の八箇所に八角形の遮光型発電部１２３を配置したタイプである。外枠と各遮光型発電部１２３の間には、透光部１２４が形成されている。太陽電池パネル１２ｃは、後述する共営型発電施設Ａ２に採用されている。
また、図３（ｄ）に示す太陽電池パネル１２ｄは、全面が光を通す透光型発電部１２５で構成されたタイプであり、後述する共営型発電施設Ａ２に採用されている。透光型発電部１２５としては、例えば（ａ）薄膜太陽電池セルに多数の細かなスリット（細い開口部）を形成して透光性を持たせたもの、（ｂ）セルを球状として、それらの隙間を透光部として透光性を持たせたもの、或いは（ｃ）ｎ型の半導体に酸化亜鉛を使用し、ｐ型の半導体に銅アルミ酸化物を使用して、赤外光と可視光を透過させ、紫外光を吸収して発電するようにして透光性を持たせたもの等があげられるが、これらに限定されるものではない。
【００４０】
そして、屋根フレーム１００の下側には、支持部である多数の支脚１３がほぼ一定間隔で形成されている。屋根部１０は、牧草地３の面に対しほぼ平行となるように各支脚１３によって支持されている。なお、各支脚１３は、本実施の形態では基礎部（図示省略）によって牧草地３に強固に固定されているが、各支脚１３の固定構造を簡易な構造として、建造物１の移設ができるようにすることもできる。
【００４１】
（作用）
図１ないし図３を参照して、共営型発電施設Ａ１の作用について説明する。
共営型発電施設Ａ１においては、牧草地３に建てられた建造物１の屋根部１０に取り付けてある多数の各太陽電池パネル１２ａによって発電した電力を売電する等、太陽光発電事業を行うことができる。また、この太陽光発電事業と同時に、又は並行して牧草地３に家畜である乳牛を放牧して草を食べさせ、時間を見て乳牛を牛舎２に誘導して搾乳し、牛舎２においては必要に応じて穀類等を補助的に給餌する等、畜産である酪農を行うことができる。
【００４２】
建造物１の各太陽電池パネル１２ａの間に設けられている透光隙間１１０は、屋根部１０において太陽電池パネル１２ａが配置されている区域に平均的に配置されているので、各パネル取付部１１に取り付けられている太陽電池パネル１２ａの全面が遮光型発電部１２０であっても、屋根部１０の全体の透光率は、少なくとも透光隙間１１０が屋根部１０全体に占める所定の割合で確保される。本実施の形態では、屋根部１０の透光率は、２０％程度に設定されているが、これに限定するものではなく、畜産の場合の衛生上の観点から、例えば３０％程度、或いはそれ以上に設定することもできる。
【００４３】
したがって、上記各透光隙間１１０を通る日光による日照部（図示省略）は、屋根部１０の下方の牧草地３のうち、共有面である全域（ほぼ屋根部１０の広さに対応する部分、或いはほぼ各支脚１３で囲まれた部分）にわたり平均的に存在し、従来の建造物のような日照部の偏りが解消できる。また、屋根部１０の下側の側方（各支脚１３の間）等からの日光の侵入、侵入した日光の屋根部１０下方（内部）における反射（又は乱反射）、或いは太陽の移動等とも相まって、日照部と日陰部の日照量に極端な差がない良好な日照環境をつくることができる。これにより、屋根部１０下方の牧草地３の共有面のどの領域でも、ほぼ同様の日照環境での飼育が可能になり、乳牛のストレスを軽減できることで管理もしやすくなるので、搾乳量が増える等、畜産の生産性を高めることが可能になる。
【００４４】
なお、建造物１による太陽光発電事業と畜産を共営する場合、牛舎２を屋根部１０の外部でなく、屋根部１０の下に設けることもできる。また、牛舎２の代わりに鶏舎や豚舎等を設ける場合でも、それらを屋根部１０の外部に設けてもよいし、屋根部１０の下に設けることもできる。また、建造物１は、例えば物産展、産地野菜売り場等の各種催し物の会場用等、他の用途に使用することもできる。
【００４５】
図４を参照し、共営型発電施設Ａ２について説明する。
共営型発電施設Ａ２は、野菜の露地栽培を行う畑５を共有面とし、農産領域である畑５を覆うように建造物６を建てた構成である。
建造物６は、上記建造物１の屋根フレーム１００、支脚１３と同様の屋根フレーム６００、支脚６３を備えている。
【００４６】
屋根フレーム６００は、上記建造物１のパネル取付部１１、透光隙間１１０と同様のパネル取付部６１、透光隙間６１０を有している。建造物６の屋根部６０には、上記太陽電池パネル１２ｃ（図３（ｃ）参照）を取り付けた区域（図４で左側の約二分の一）と、太陽電池パネル１２ｄ（図３（ｄ）参照）を取り付けた区域（図４で右側の約二分の一）がある。
【００４７】
（作用）
共営型発電施設Ａ２は、共有面である畑５において、農産である野菜の栽培と、建造物６による太陽光発電事業を同時に、又は並行して行うことができる。
建造物６の上記太陽電池パネル１２ｃを取り付けた区域の透光率は、６０％程度に設定されており、上記太陽電池パネル１２ｄを取り付けた区域の透光率は、８０％程度に設定されている。太陽電池パネル１２ｃを取り付けた区域の下方の畑５には、強い日光にやや弱い野菜が栽培されており、太陽電池パネル１２ｄを取り付けた区域の下方の畑５には、直射日光に強く、その下でも良く生育する野菜が栽培されている。
【００４８】
このように、共営型発電施設Ａ２の施工の際、あらかじめ複数種類が設定されている互いに透光率が異なる太陽電池パネルの群から、太陽電池パネルを適宜選択して使用することで透光率を適宜設定し、農産で育成する野菜等の植物に対し好適な採光ができるようにすることが可能になる。なお、本実施の形態では、透光性を有する太陽電池パネル１２ｄを使用しており、透明に近い透光性を有するが、充分な発電量を確保できる。
【００４９】
図５を参照し、共営型発電施設Ａ３について説明する。
共営型発電施設Ａ３は、建造物７を有し、建造物７は鶏舎である。建造物７は、長方形状の屋根部７０を有し、屋根部７０の四辺部には、支持部となる側壁部７２を備えている。各側壁部７２で囲まれた部分の底面は、コンクリートで畜産領域である床部（図示省略）が形成されている。この床部は共有面となり、床部の上には採卵用の鶏を収容するケージ（図示省略）が多段に設置されている。
【００５０】
建造物７は、上記建造物１の屋根フレーム１００と同様の屋根フレーム７００を備えている。屋根フレーム７００は、上記建造物１のパネル取付部１１、透光隙間１１０と同様のパネル取付部７１、透光隙間７１０を有している。建造物７の屋根部７０の各パネル取付部７１には、上記太陽電池パネル１２ｂが取り付けてある。
【００５１】
建造物７においては、各透光隙間７１０と、各太陽電池パネル１２ｂの各透光部１２２は、その裏面側で透光性を有するプラスチック製の隔離板７１０ａと隔離板１２２ａで塞がれている。そして、上記各側壁部７２及び隔離板７１０ａ、１２２ａは、内部の鶏が逃げられず、野鳥等の他の動物が侵入できないような構造と強度を有している。上記側壁部７２と隔離板７１０ａ、１２２ａは、隔離手段を構成するものである。
【００５２】
（作用）
共営型発電施設Ａ３は、建造物７による太陽光発電事業と、畜産である養鶏及び採卵を同時に、又は並行して行うことができる。屋根部７０の全体の透光率は、４０％程度に設定されており、鶏舎の衛生上の観点から充分に好適な透光率となっている。また、建造物７は、隔離手段である各側壁部７２及び隔離板７１０ａ、１２２ａで塞がれているので、獣や鳥が媒介する各種病気が、建造物内の鶏に伝染することを防止できる。特に鳥インフルエンザの拡散防止に寄与することができる。また、建造物内の鶏が逃げ出すことも防止できる。
【００５３】
なお、共営型発電施設Ａ３のような屋根部と側壁部及び床部で構成された施設は、鶏舎としてだけではなく、例えば側壁部を充分な強度を以て形成することにより、牛舎としても、或いは豚舎等としても構築することができる。牛舎や豚舎として構築する場合、屋根部７０の隔離板７１０ａ、１２２ａを設けずに、透光隙間７１０及び透光口１２２を通して通気ができる構造とすることもできる。
【００５４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００５５】
Ａ１  共営型発電施設
１  建造物
１０  屋根部
１００  屋根フレーム
１１  パネル取付部
１１０  透光隙間
１２ａ  太陽電池パネル
１２０  遮光型発電部
１２ｂ  太陽電池パネル
１２１  遮光型発電部
１２２  透光部
１２ｃ  太陽電池パネル
１２３  遮光型発電部
１２４  透光部
１２ｄ  太陽電池パネル
１２５  透光型発電部
１３  支脚
２  牛舎
３  牧草地
４  柵
Ａ２  共営型発電施設
５  畑
６  建造物
６０  屋根部
６００  屋根フレーム
６１  パネル取付部
６１０  透光隙間
６３  支脚
Ａ３  共営型発電施設
７  建造物
７０  屋根部
７００  屋根フレーム
７１  パネル取付部
７１０  透光隙間
７１０ａ  隔離板
７２  側壁部
１２２ａ  隔離板
【図１】
2015113678.tif 000003
【図２】
2015113678.tif 000004
【図３】
2015113678.tif 000005
【図４】
2015113678.tif 000006
【図５】
2015113678.tif 000007